(57)【要約】【課題】ホームページ上のタグあるいは属性を直接検索可能とし、その属性が存在する位置に容易に移動可能な情報処理端末を提供する。【解決手段】受信データタグ解析部１１３において、タグ検索部１１３ａは検索対象のタグ文字列の指定があるかを判断し、検索対象のタグ文字列があれば、受信データから指定されたタグ文字列の検索処理を行う。受信データタグ解析部１１３はタグ検索部１１３ａによる検索処理の結果、タグ文字列の有無の判断を行い、指定されたタグ文字列が閲覧中の表示データ内に存在する場合、該当するタグを含む箇所の表示データの作成処理を行う。受信データタグ解析部１１３にて作成された表示データは表示レイアウト部１１２にてレイアウトを行い、表示デバイス１３に表示される。【選択図】　　　図１
2004038512.tif 000002
【特許請求の範囲】
【請求項１】
情報提供装置から提供される提供データ内において、前記提供データ中に埋め込まれた制御情報を示すタグに対応する位置に移動可能とする情報処理端末であって、前記情報提供装置から通信回線を介して前記提供データを取得する取得手段と、前記取得手段で取得した提供データ内の前記タグを解析する解析手段と、前記解析手段の解析結果に基づいて前記提供データを表示する表示手段と、外部から指示されたタグを前記提供データから検索する検索手段とを有し、前記検索手段で検索されたタグに対応する位置の提供データを前記表示手段で表示することを特徴とする情報処理端末。
【請求項２】
前記提供データは、ＸＭＬ（ｅＸｔｅｎｓｉｂｌｅ　Ｍａｒｋｕｐ　Ｌａｎｇｕａｇｅ）データ、ＨＴＭＬ（Ｈｙｐｅｒ　Ｔｅｘｔ　Ｍａｒｋｕｐ　Ｌａｎｇｕａｇｅ）データ、ＸＨＴＭＬ（ｅＸｔｅｎｓｉｂｌｅ　Ｈｙｐｅｒ　Ｔｅｘｔ　Ｍａｒｋｕｐ　Ｌａｎｇｕａｇｅ）データのうちの少なくとも一つであることを特徴とする請求項１記載の情報処理端末。
【請求項３】
前記提供データ内のタグを検索してポップアップメニューで表示し、前記ポップアップメニューで表示されたタグの中から選択されたタグを前記検索手段で検索することを特徴とする請求項１または請求項２記載の情報処理端末。
【請求項４】
前記ポップアップメニューにおいて前記タグを優先順に表示することを特徴とする請求項３記載の情報処理端末。
【請求項５】
情報提供装置から提供される提供データ内において、前記提供データ中に埋め込まれた制御情報を示すタグに対応する位置に移動可能とする情報処理端末の指定タグ位置移動方法であって、前記情報提供装置から通信回線を介して前記提供データを取得するステップと、その取得した提供データ内の前記タグを解析するステップと、この解析結果に基づいて前記提供データを表示するステップと、外部から指示されたタグを前記提供データから検索するステップとを有し、検索されたタグに対応する位置の提供データを表示することを特徴とする指定タグ位置移動方法。
【請求項６】
前記提供データは、ＸＭＬ（ｅＸｔｅｎｓｉｂｌｅ　Ｍａｒｋｕｐ　Ｌａｎｇｕａｇｅ）データ、ＨＴＭＬ（Ｈｙｐｅｒ　Ｔｅｘｔ　Ｍａｒｋｕｐ　Ｌａｎｇｕａｇｅ）データ、ＸＨＴＭＬ（ｅＸｔｅｎｓｉｂｌｅ　Ｈｙｐｅｒ　Ｔｅｘｔ　Ｍａｒｋｕｐ　Ｌａｎｇｕａｇｅ）データのうちの少なくとも一つであることを特徴とする請求項５記載の指定タグ位置移動方法。
【請求項７】
前記提供データ内のタグを検索してポップアップメニューで表示し、前記ポップアップメニューで表示されたタグの中から選択されたタグを検索することを特徴とする請求項５または請求項６記載の指定タグ位置移動方法。
【請求項８】
前記ポップアップメニューにおいて前記タグを優先順に表示することを特徴とする請求項７記載の指定タグ位置移動方法。
【請求項９】
情報提供装置から提供される提供データ内において、前記提供データ中に埋め込まれた制御情報を示すタグに対応する位置に移動可能とする情報処理端末の指定タグ位置移動方法のプログラムであって、コンピュータに、前記情報提供装置から通信回線を介して前記提供データを取得する処理と、その取得した提供データ内の前記タグを解析する処理と、この解析結果に基づいて前記提供データを表示する処理と、外部から指示されたタグを前記提供データから検索しかつ検索されたタグに対応する位置の提供データを表示させる処理とを実行させるためのプログラム。
【発明の詳細な説明】
【０００１】
【発明の属する技術分野】
本発明は情報処理端末及びそれに用いる指定タグ位置移動方法並びにそのプログラムに関し、特に閲覧しているホームページから指定したタグを含む部分を検索して表示する方法に関する。
【０００２】
【従来の技術】
従来、Ｗｅｂ端末等の情報処理端末においては、一般的に、ホームページを閲覧するために、ＨＴＭＬ（Ｈｙｐｅｒ　Ｔｅｘｔ　Ｍａｒｋｕｐ　Ｌａｎｇｕａｇｅ）ブラウザソフトウェア（以下、ＨＴＭＬブラウザとし、他のブラウザソフトウェアも単にブラウザとする）が用いられている。
【０００３】
このＨＴＭＬブラウザで閲覧中のホームページについて何か問い合わせしたいと考えた場合には、通常、アンカータグのメールアドレス属性（例えば、ＭａｉｌＴｏ）が指定された部分か、あるいは電話番号を認識できる機能を持たせたＨＴＭＬブラウザの場合の電話番号属性（例えば、ＰｈｏｎｅＮｏ）が指定された部分を探す方法がある。
【０００４】
この時、ＨＴＭＬブラウザにはこれらのタグあるいは属性を直接検索する手段がないため、閲覧者が表示しているホームページをスクロールさせながらアンカー指定された内容を目視等によって確認している。ここで、タグとはホームページ内に埋め込まれた制御情報を示している。
【０００５】
尚、ＸＭＬ（ｅＸｔｅｎｓｉｂｌｅ　Ｍａｒｋｕｐ　Ｌａｎｇｕａｇｅ）ファイルを閲覧する場合にも、上記と同様に、目視等によって確認しなければならない。
【０００６】
【発明が解決しようとする課題】
上述した従来の情報処理端末では、ブラウザにタグあるいは属性を直接検索する手段がないため、閲覧中のホームページから目的のタグあるいは属性を探すことが非常に困難であるという問題がある。例えば、携帯電話やＰＤＡ（Ｐｅｒｓｏｎａｌ　Ｄｉｇｉｔａｌ　Ａｓｓｉｓｔａｎｔ）に内蔵されたブラウザはその表示画面の制約からソースファイル全体を俯瞰可能なように表示することが不可能で、ソースファイル全体から属性を把握することが著しく困難である。
【０００７】
そこで、本発明の目的は上記の問題点を解消し、ホームページ上のタグあるいは属性を直接検索することができ、その属性が存在する位置に容易に移動することができる情報処理端末及びそれに用いる指定タグ位置移動方法並びにそのプログラムを提供することにある。
【０００８】
【課題を解決するための手段】
本発明による情報処理端末は、情報提供装置から提供される提供データ内において、前記提供データ中に埋め込まれた制御情報を示すタグに対応する位置に移動可能とする情報処理端末であって、前記情報提供装置から通信回線を介して前記提供データを取得する取得手段と、前記取得手段で取得した提供データ内の前記タグを解析する解析手段と、前記解析手段の解析結果に基づいて前記提供データを表示する表示手段と、外部から指示されたタグを前記提供データから検索する検索手段とを備え、前記検索手段で検索されたタグに対応する位置の提供データを前記表示手段で表示している。
【０００９】
本発明による指定タグ位置移動方法は、情報提供装置から提供される提供データ内において、前記提供データ中に埋め込まれた制御情報を示すタグに対応する位置に移動可能とする情報処理端末の指定タグ位置移動方法であって、前記情報提供装置から通信回線を介して前記提供データを取得するステップと、その取得した提供データ内の前記タグを解析するステップと、この解析結果に基づいて前記提供データを表示するステップと、外部から指示されたタグを前記提供データから検索するステップとを備え、検索されたタグに対応する位置の提供データを表示している。
【００１０】
本発明による指定タグ位置移動方法のプログラムは、情報提供装置から提供される提供データ内において、前記提供データ中に埋め込まれた制御情報を示すタグに対応する位置に移動可能とする情報処理端末の指定タグ位置移動方法のプログラムであって、コンピュータに、前記情報提供装置から通信回線を介して前記提供データを取得する処理と、その取得した提供データ内の前記タグを解析する処理と、この解析結果に基づいて前記提供データを表示する処理と、外部から指示されたタグを前記提供データから検索しかつ検索されたタグに対応する位置の提供データを表示させる処理とを実行させている。
【００１１】
すなわち、本発明の情報処理端末は、ＨＴＭＬサーバ等からインタネットやインタネット技術を応用したイントラネット、エクストラネットを介してＨＴＭＬデータ等を取得する手段と、取得したＨＴＭＬデータ等のタグを解析する手段と、解析したタグをホームページ表示する手段と、表示したホームページから指示されたタグを検索する手段と、検索されたタグ位置をホームページ表示手段によって表示する手段とを持つことを特徴とする。
【００１２】
これによって、本発明の情報処理端末では、ホームページの指定したタグ位置に容易に移動することが可能となるので、閲覧中のホームページをスクロールさせながらアンカー指定された内容を目視等によって確認する必要がなくなり、目的のタグ位置に移動するための操作性を格段に向上させることが可能となる。このほかに、本発明の情報処理端末では、携帯電話やＰＤＡ等の小さい画面の装置に対しても、効率の良いタグ検索を可能とする手段の提供を可能とする。
【００１３】
【発明の実施の形態】
次に、本発明の実施の形態について図面を参照して説明する。図１は本発明の実施の形態による情報処理端末の構成を示すブロック図である。図１において、情報処理端末１は受信データ処理部１１と、入力デバイス１２と、表示デバイス１３と、記録媒体１４とから構成され、通信網１００を介して情報提供装置２に接続されている。
【００１４】
ここで、通信網１００としてはインタネットでも、イントラネットでも、他の通信手段でもよい。また、情報提供装置２としてはタグによって表示等の指定が可能なファイルを提供する装置であれば、ＸＭＬ（ｅＸｔｅｎｓｉｂｌｅ　Ｍａｒｋｕｐ　Ｌａｎｇｕａｇｅ）サーバ、ＨＴＭＬ（Ｈｙｐｅｒ　Ｔｅｘｔ　Ｍａｒｋｕｐ　Ｌａｎｇｕａｇｅ）サーバ、ＸＨＴＭＬ（ｅＸｔｅｎｓｉｂｌｅ　Ｈｙｐｅｒ　Ｔｅｘｔ　Ｍａｒｋｕｐ　Ｌａｎｇｕａｇｅ）サーバでも、データベースでも、他の情報提供手段でもよい。尚、タグとは提供されるファイル内に埋め込まれた制御情報を示している。
【００１５】
受信データ処理部１１は入力制御部１１１と、表示レイアウト部１１２と、タグ検索部１１３ａを含む受信データタグ解析部１１３と、受信データ取得部１１４とから構成されている。尚、受信データ処理部１１はソフトウェアでも構成可能であり、図示せぬコンピュータが記録媒体１４に格納されたプログラムを実行することで実現される。
【００１６】
受信データ処理部１１は入力制御部１１１で制御された入力デバイス１２から入力された情報提供元の情報を受信データ取得部１１４に渡し、通信網１００を介して情報提供装置２から提供データを取得する。
【００１７】
受信データ取得部１１４が提供データを取得すると、受信データタグ解析部１１３がその提供データのタグを解析し、表示レイアウト部１１２にて作成された表示データを表示デバイス１３にて表示する。
【００１８】
図２は図１の受信データタグ解析部１１３の動作を示すフローチャートである。これら図１及び図２を参照して本発明の実施の形態の動作について説明する。以下、表示デバイス１３に表示された表示データ内の指定したタグや属性の位置に移動する動作について説明する。尚、図２に示す処理はコンピュータが記録媒体１４のプログラムを実行することで実現される。
【００１９】
ここで、以下の説明では電話番号を認識することができる機能を持ったブラウザソフトウェア（以下、ブラウザとする）で一般的に用いられている電話番号タグ属性の一例のＰｈｏｎｅＮｏが記述された部分に移動する例について述べる。
【００２０】
まず、閲覧している表示データに対して入力制御部１１１で制御された入力デバイス１２から移動したいタグあるいは属性の文字列を入力し、適切に割り当てた処理開始キーを押下すると、受信データタグ解析部１１３の処理に移行する。
【００２１】
受信データタグ解析部１１３において、タグ検索部１１３ａは検索対象のタグ文字列の指定があるかを判断し（図２ステップＳ１）、検索対象のタグ文字列があれば、受信データから指定されたタグ文字列の検索処理を行う（図２ステップＳ２）。
【００２２】
受信データタグ解析部１１３はタグ検索部１１３ａによる検索処理の結果、タグ文字列の有無の判断を行い（図２ステップＳ３）、指定されたタグ文字列が閲覧中の表示データ内に存在する場合、該当するタグを含む箇所の表示データの作成処理を行う（図２ステップＳ５）。受信データタグ解析部１１３にて作成された表示データは表示レイアウト部１１２にてレイアウトを行い、表示デバイス１３に表示される。
【００２３】
受信データタグ解析部１１３は検索対象のタグ文字列の指定がなければ、初めて受信データを表示する場合、あるいは受信データを再表示する場合に該当し、それらの場合には通常の受信データのタグ解析処理（図２ステップＳ４）、及び受信データに対応する表示データの作成処理（図２ステップＳ５）が実行される。
【００２４】
このように、本発明の実施の形態では、受信データに対応する表示データの指定したタグ位置に容易に移動することができるので、閲覧中の表示データをスクロールさせながらアンカー指定された内容を目視等によって確認する必要がなく、目的のタグ位置に移動するための操作性を格段に向上させることができる。
【００２５】
図３は本発明の一実施例によるＷｅｂ端末の構成を示すブロック図である。図３において、Ｗｅｂ端末３はＨＴＭＬブラウザ３１と、入力デバイス３２と、表示デバイス３３と、記録媒体３４とから構成され、インタネット２００を介してＨＴＭＬサーバ４に接続されている。
【００２６】
ＨＴＭＬブラウザ３１は入力制御部３１１と、ＨＴＭＬデータ取得部３１４と、タグ検索部３１３ａを含むＨＴＭＬタグ解析部３１３と、表示レイアウト部３１２とから構成されている。尚、ＨＴＭＬブラウザ３１は、一般に、ソフトウェアから構成され、Ｗｅｂ端末３のコンピュータ（図示せず）が記録媒体３４に格納されたプログラムを実行することで実現される。
【００２７】
ＨＴＭＬブラウザ３１は入力制御部３１１で制御された入力デバイス３２から入力されたＵＲＬ（Ｕｎｉｆｏｒｍ　Ｒｅｓｏｕｒｃｅ　Ｌｏｃａｔｏｒ）をＨＴＭＬデータ取得部３１４に渡し、インタネット２００を介してＨＴＭＬサーバ４からＨＴＭＬデータを取得する。
【００２８】
次に、ＨＴＭＬブラウザ３１ではＨＴＭＬタグ解析部３１３にてＨＴＭＬデータのタグを解析し、表示レイアウト部３１２にて作成されたホームページ表示データを表示デバイス３３にて表示する。
【００２９】
図４は図３のＨＴＭＬタグ解析部３１３の動作を示すフローチャートであり、図５は図３のＨＴＭＬブラウザ３１での画面遷移例を示す図である。これら図３〜図５を参照して本発明の一実施例の動作について説明する。尚、図４に示す処理はＷｅｂ端末３のコンピュータが記録媒体３４のプログラムを実行することで実現される。
【００３０】
本実施例の特徴である閲覧中のホームページ内の指定したタグや属性の位置に移動する動作は次のようになる。本実施例では電話番号を認識することができる機能を持ったブラウザで一般的に用いられている電話番号タグ属性の一例のＰｈｏｎｅＮｏが記述された部分に移動する例を示している。
【００３１】
まず、閲覧しているホームページ（図５のＰ１参照、選択部分を斜文字で示す）に対して入力制御部３１１で制御された入力デバイス３２から移動したいタグあるいは属性の文字列（ＰｈｏｎｅＮｏ）を入力し（図５のＰ２参照）、適切に割り当てた処理開始キーを押下すると、ＨＴＭＬタグ解析部３１３の処理に移行する。
【００３２】
ＨＴＭＬタグ解析部３１３はタグ検索部３１３ａを備え、タグ検索部３１３ａで検索対象のタグ文字列の指定があるかを判断し（図４ステップＳ１１）、検索対象のタグ文字列があれば、ＨＴＭＬデータから指定されたタグ文字列（ＰｈｏｎｅＮｏ）の検索処理を行う（図４ステップＳ１２）。
【００３３】
ＨＴＭＬタグ解析部３１３はタグ検索部３１３ａでの検索処理によってタグ文字列の有無の判断を行い（図４ステップＳ１３）、指定されたタグ文字列（ＰｈｏｎｅＮｏ）が閲覧中のホームページ内に存在すれば該当するタグを含む箇所の表示データの作成処理を行う（図４ステップＳ１５）。
【００３４】
作成されたホームページ表示データは表示レイアウト部３１２にてレイアウトを行い、表示デバイス３３に表示される（図５のＰ３参照）。この結果、当該実施例ではホームページ中に「＜Ａ　ＨＲＥＦ＝“ＰｈｏｎｅＮｏ：０３１２３４５６７８”＞こちらまで＜／Ａ＞」と記述してあるＰ３の画面が表示され、「こちらまで」の位置に移動する。
【００３５】
尚、ステップＳ１１で検索対象のタグ文字列の指定がなければ、初めてホームページを表示する場合、あるいはホームページを再表示する場合に該当し、その場合には通常のＨＴＭＬデータのタグ解析処理（図４ステップＳ１４）及びホームページの表示データの作成処理（図４ステップＳ１５）を実行する。
【００３６】
本実施例では、タグ属性の文字列検索について電話番号属性のＰｈｏｎｅＮｏの例について説明したが、この他にもメールアドレス属性のＭａｉｌＴｏ等の閲覧者の希望する任意のタグ属性の文字列で検索を行い、ホームページ内に存在する場合には該当するタグ位置に移動することが可能となる。
【００３７】
このように、本実施例では、ホームページにおける指定されたタグ位置に容易に移動することができるので、閲覧中のホームページをスクロールさせながらアンカー指定された内容を目視等によって確認する必要がなく、目的のタグ位置に移動するための操作性を格段に向上させることができる。
【００３８】
図６は本発明の他の実施例によるＨＴＭＬタグ解析部の動作を示すフローチャートであり、図７は本発明の他の実施例によるＨＴＭＬブラウザでの画面遷移例を示す図である。本発明の他の実施例によるＷｅｂ端末の構成は図３に示す本発明の一実施例によるＷｅｂ端末３の構成と同様なので、図３と図６と図７とを参照して本発明の他の実施例の動作について説明する。尚、図６に示す処理はＷｅｂ端末３のコンピュータが記録媒体３４のプログラムを実行することで実現される。
【００３９】
本発明の他の実施例では、ホームページ上で使用されるタグが有限であることから、ＨＴＭＬファイル中のタグを総当りで検索し（図６ステップＳ２１）、検索されたタグをポップアップメニューの形式で表示するようにしている（図６ステップＳ２２）（図７のＰ２’参照）。
【００４０】
このポップアップメニューの中からタグが選択されると、以下のステップＳ２３〜Ｓ２７の処理は上述した図４のステップＳ１１〜Ｓ１５の処理と同様にしてホームページの表示データが作成され、作成されたホームページ表示データが表示レイアウト部３１２にてレイアウトが行われ、表示デバイス３３に表示される（図７のＰ３参照）。
【００４１】
尚、図７のＰ２’の画面では、ＨＴＭＬファイル中のタグの総当りでの検索で電話番号属性のＰｈｏｎｅＮｏ、メールアドレス属性のＭａｉｌＴｏ等が検索され、ポップアップメニューに表示されている状態を示している。
【００４２】
このように、本実施例では、ホームページにおける指定されたタグ位置に容易に移動することができるので、閲覧中のホームページをスクロールさせながらアンカー指定された内容を目視等によって確認する必要がなく、目的のタグ位置に移動するための操作性を格段に向上させることができる。
【００４３】
図８は本発明の別の実施例によるＨＴＭＬブラウザでの画面遷移例を示す図である。図８において、本発明の別の実施例では、ポップアップメニューを表示する前に（図８のＰ２’参照）、ポップアップメニューに表示するタグの検索範囲を予め選択する画面（図８のＰ４参照）を表示している。
【００４４】
この場合、図８のＰ４の画面にて検索範囲（図８では「連絡先」）を予め入力することで、ＨＴＭＬファイル中のタグを総当りで検索することなく、電話番号属性のＰｈｏｎｅＮｏ、メールアドレス属性のＭａｉｌＴｏ等が検索され、ポップアップメニューに表示される。
【００４５】
このように、本実施例では、ホームページにおける指定されたタグ位置により容易に移動することができるので、閲覧中のホームページをスクロールさせながらアンカー指定された内容を目視等によって確認する必要がなく、目的のタグ位置に移動するための操作性を格段に向上させることができる。
【００４６】
図９は本発明のさらに別の実施例による受信データタグ解析部の動作を示すフローチャートである。本発明のさらに別の実施例による情報処理端末の構成は図１に示す本発明の実施の形態による情報処理端末１の構成と同様なので、図１と図９とを参照して本発明のさらに別の実施例の動作について説明する。尚、図９に示す処理は情報処理端末１のコンピュータが記録媒体１４のプログラムを実行することで実現される。
【００４７】
本発明のさらに別の実施例では、ＸＭＬファイルにおけるタグ位置への移動に適用したものである。この場合、受信データタグ解析部１１３はＸＭＬファイル中のタグを総当りで検索し（図９ステップＳ３１）、その検索されたタグの中から「ＴＩＴＬＥ」等のような汎用的に使われるもの（予約語）の類で、情報検索に有効性のないものを検索対象から外す（図９ステップＳ３２）。
【００４８】
また、受信データタグ解析部１１３はＤＴＤ（Ｄｏｃｕｍｅｎｔ　Ｔｙｐｅ　Ｄｅｆｉｎｉｔｉｏｎ）に定義がないものの検索順位をさげる、つまりＤＴＤに定義があるものを優先的に検索対象とする（図９ステップＳ３３，Ｓ３４）。ここで、上記の検索対象に対する処理はその両方を行っても、またそれらのうちの一方を行っても良い。
【００４９】
このようにして検索されたＸＭＬファイルのタグをその検索順位の順番で、ポップアップメニューの形式で表示するようにしている（図９ステップＳ３５）。ポップアップメニューの中からタグが選択されると（検索対象のタグ文字列の指定がある）（図９ステップＳ３６）、タグ検索部１１３ａはＸＭＬデータから指定されたタグ文字列の検索処理を行う（図９ステップＳ３７）。
【００５０】
受信データタグ解析部１１３はタグ検索部１１３ａによる検索処理の結果、タグ文字列の有無の判断を行い（図９ステップＳ３８）、指定されたタグ文字列が閲覧中の表示データ内に存在する場合、該当するタグを含む箇所の表示データの作成処理を行う（図９ステップＳ４０）。受信データタグ解析部１１３にて作成された表示データは表示レイアウト部１１２にてレイアウトを行い、表示デバイス１３に表示される。
【００５１】
受信データタグ解析部１１３は検索対象のタグ文字列の指定がなければ（ポップアップメニューの中からタグが選択されなければ）（図９ステップＳ３６）、初めて受信データを表示する場合、あるいは受信データを再表示する場合に該当し、それらの場合には通常の受信データのタグ解析処理（図９ステップＳ３９）、及び受信データに対応する表示データの作成処理（図９ステップＳ４０）が実行される。
【００５２】
このように、本実施例では、ＸＭＬファイルにおける指定されたタグ位置により容易に移動することができるので、閲覧中のＸＭＬファイルをスクロールさせながらアンカー指定された内容を目視等によって確認する必要がなく、目的のタグ位置に移動するための操作性を格段に向上させることができる。
【００５３】
【発明の効果】
以上説明したように本発明は、情報提供装置から提供される提供データ内において、提供データ中に埋め込まれた制御情報を示すタグに対応する位置に移動可能とする情報処理端末において、情報提供装置から通信回線を介して提供データを取得し、その取得した提供データ内のタグを解析し、この解析結果に基づいて提供データを表示し、外部から指示されたタグを提供データから検索して検索されたタグに対応する位置の提供データを表示することによって、ホームページ上のタグあるいは属性を直接検索することができ、その属性が存在する位置に容易に移動することができるという効果が得られる。
【図面の簡単な説明】
【図１】本発明の実施の形態による情報処理端末の構成を示すブロック図である。
【図２】図１の受信データタグ解析部の動作を示すフローチャートである。
【図３】本発明の一実施例によるＷｅｂ端末の構成を示すブロック図である。
【図４】図３のＨＴＭＬタグ解析部の動作を示すフローチャートである。
【図５】図３のＨＴＭＬブラウザでの画面遷移例を示す図である。
【図６】図６は本発明の他の実施例によるＨＴＭＬタグ解析部の動作を示すフローチャートである。
【図７】本発明の他の実施例によるＨＴＭＬブラウザでの画面遷移例を示す図である。
【図８】本発明の別の実施例によるＨＴＭＬブラウザでの画面遷移例を示す図である。
【図９】本発明のさらに別の実施例による受信データタグ解析部の動作を示すフローチャートである。
【符号の説明】
１　情報処理端末
２　情報提供装置
３　Ｗｅｂ端末
４　ＨＴＭＬサーバ
１１　受信データ処理部
１２，３２　入力デバイス
１３，３３　表示デバイス
１４，３４　記録媒体
３１　ＨＴＭＬブラウザ
１００　通信網
１１１，３１１　入力制御部
１１２，３１２　表示レイアウト部
１１３　受信データタグ解析部
１１３ａ　タグ検索部
１１４　受信データ取得部
２００　インタネット
３１３　ＨＴＭＬタグ解析部
３１３ａ　タグ検索部
３１４　ＨＴＭＬデータ取得部
【図１】
2004038512.tif 000003
【図２】
2004038512.tif 000004
【図３】
2004038512.tif 000005
【図４】
2004038512.tif 000006
【図５】
2004038512.tif 000007
【図６】
2004038512.tif 000008
【図７】
2004038512.tif 000009
【図８】
2004038512.tif 000010
【図９】
2004038512.tif 000011